(57)【要約】【課題】複数の表示装置に跨って一つの画像を表示する場合に、ユーザが途切れさせずに見たいと思う画像が途切れて表示されてしまうのを抑制する。【解決手段】次元的に配置された複数の表示装置を一体の表示装置として、一つの表示画像を表示させる表示制御装置において、表示画像に含まれる所定の注目画像が複数の表示装置の表示画面に跨って表示されている場合に、いずれかの表示装置の表示画面内に当該注目画像が収まるように、前記表示画像の表示位置をずらす。【選択図】図３
2012212001.tif 000002
【特許請求の範囲】
【請求項１】
２次元的に配置された複数の表示装置を一体の表示装置として、一つの表示画像を表示させる表示制御装置において、
前記表示画像に含まれる所定の注目画像が複数の表示装置の表示画面に跨って表示されている場合に、いずれかの表示装置の表示画面内に当該注目画像が収まるように、前記表示画像の表示位置をずらす表示手段を備える表示制御装置。
【請求項２】
前記表示手段は、前記注目画像をずらす前に当該注目画像がより多く表示されている表示装置の表示画面側に前記表示画像の表示位置をずらす請求項１記載の表示制御装置。
【請求項３】
前記表示手段は、複数の前記注目画像が複数の表示装置の表示画面に跨って表示されている場合に、いずれか最も表示領域の切れ目に近い注目画像がより多く表示されている表示装置の表示画面側に前記表示画像の表示位置をずらす請求項２記載の表示制御装置。
【請求項４】
前記表示手段は、前記注目画像のずらす前に当該注目画像がより多く表示されている表示装置の表示画面側に前記表示画像の表示位置を第１の方向にずらした場合に、他の注目画像が新たに複数の表示装置の表示画面に跨って表示された場合に、当該他の注目画像の表示の切れ目に対して、前記第１の方向に位置する表示装置の表示画像はそのままとし、前記第１の方向とは逆方向の第２の方向に位置する表示装置の表示画像の表示位置を前記第２の方向へずらす請求項１又は請求項２記載の表示制御装置。
【請求項５】
前記表示手段は、複数の前記注目画像が複数の表示装置の表示画面に跨って表示されている場合に、いずれか最も表示領域の切れ目に近い注目画像がより多く表示されている表示装置の表示画面側に前記表示画像の表示位置を第１の方向にずらし、他の注目画像が未だ複数の表示装置の表示画面に跨って表示されている場合に、当該他の注目画像の表示の切れ目に対して、前記第１の方向に位置する表示装置の表示画像はそのままとし、前記第１の方向とは逆方向の第２の方向に位置する表示装置の表示画像の表示位置を前記第２の方向へずらす請求項１又は請求項２記載の表示制御装置。
【請求項６】
前記注目画像は、長方形状の画像として取り扱い、前記表示手段に表示する場合のずらす量を設定する請求項１乃至請求項５のいずれかに記載の表示制御装置。
【請求項７】
前記注目画像は、人物の顔画像である請求項１乃至請求項６のいずれかに記載の表示制御装置。
【請求項８】
２次元的に配置された複数の表示ユニットに一つの表示画像を表示させる表示装置と、  前記表示画像に含まれる所定の注目画像が複数の表示ユニットの表示画面に跨って表示されている場合に、いずれかの表示ユニットの表示画面内に当該注目画像が収まるように、前記表示画像の表示位置をずらす表示手段と、
を備える電子機器。
【請求項９】
２次元的に配置された複数の表示装置を一体の表示装置として、一つの表示画像を表示させる表示制御装置をコンピュータにより制御する制御プログラムにおいて、
前記コンピュータを、
前記表示画像に含まれる所定の注目画像が複数の表示装置の表示画面に跨って表示されているか否かを判別する表示状態判別手段と、
前記表示画像に含まれる所定の注目画像が複数の表示装置の表示画面に跨って表示されている場合に、いずれかの表示装置の表示画面内に当該注目画像が収まるように、前記表示画像の表示位置をずらして表示する表示手段と、
して機能させる制御プログラム。
【発明の詳細な説明】
【技術分野】
【０００１】
本発明の実施形態は、表示制御装置、電子機器及び制御プログラムに関する。
【背景技術】
【０００２】
従来、複数のディスプレイ装置を用いて一つの画像（静止画あるいは動画）を表示するマルチディスプレイが知られている。
【０００３】
また、画像の一部を表示の注目対象として画像表示制御を行う画像処理装置が知られている（例えば、特許文献１参照）。
【先行技術文献】
【特許文献】
【０００４】
【特許文献１】特開２００６−２９５７２３号公報
【発明の概要】
【発明が解決しようとする課題】
【０００５】
ところで、画像の一部を表示の注目対象として画像表示制御を行う場合に、マルチディスプレイ装置に画像を表示した場合、複数のディスプレイの表示画面の切れ目（ディスプレイのつなぎ部分）に注目対象の画像（例えば、人物の顔）が位置する場合には、画像が途切れて見づらくなってしまうという問題点があった。
【０００６】
本発明は、上記に鑑みてなされたものであって、複数の表示装置に跨って一つの画像を表示する場合に、ユーザが途切れさせずに見たいと思う画像が途切れて表示されてしまうのを抑制することが可能な表示制御装置、電子機器及び制御プログラムを提供する。
【課題を解決するための手段】
【０００７】
実施形態の表示制御装置は、２次元的に配置された複数の表示装置を一体の表示装置として、一つの表示画像を表示させる表示制御装置である。
そして、表示制御装置の表示手段は、表示画像に含まれる所定の注目画像が複数の表示装置の表示画面に跨って表示されている場合に、いずれかの表示装置の表示画面内に当該注目画像が収まるように、前記表示画像の表示位置をずらして表示する。
【図面の簡単な説明】
【０００８】
【図１】図１は、実施形態の電子機器の外観図である。
【図２】図２は、電子機器の概要構成ブロック図である。
【図３】図３は、第１実施形態の動作説明図である。
【図４】図４は、第１実施形態の画像処理の処理フローチャートである。
【図５】図５は、第２実施形態の動作説明図である。
【図６】図６は、第２実施形態の画像処理の処理フローチャートである。
【図７】図７は、第３実施形態の動作説明図である。
【図８】図８は、第３実施形態の画像処理の処理フローチャートである。
【発明を実施するための形態】
【０００９】
次に実施形態について、図面を参照して詳細に説明する。
［第１実施形態］
図１は、実施形態の電子機器の外観図である。
図１（ａ）は、１８０度開いた状態の外観斜視図、図１（ｂ）は、ノート型パーソナルコンピュータと同様に途中まで折り畳んだ状態の外観斜視図である。
電子機器１０は、折り畳み式の携帯型電子機器であり、その用途としては、モバイルパソコン、ゲーム機、電子ブックリーダ等が考えられる。
電子機器１０は、第１ディスプレイ１１を収納した第１筐体１２と、第２ディスプレイ１３を収納した第２筐体１４と、第１筐体１２及び第２筐体１４を回動可能に保持するヒンジ部１５と、を備えている。
第２筐体１４のベゼル部１６には、カメラモジュール１７が内蔵されているとともに、電源スイッチ１８が設けられている。
【００１０】
図２は、電子機器の概要構成ブロック図である。
電子機器１０は、上述した第１ディスプレイ１１及び第２ディスプレイ１３に加えて、電子機器１０全体を制御するＣＰＵ２１と、充電池を含み、電子機器１０全体に電力を供給する電源部２２と、ＣＰＵ２１と周辺装置との間でインタフェース動作及びタイミング調整動作等を行うチップセット部２３と、制御プログラム等を格納するＲＯＭ、各種データを一時的に格納しワーキングエリアとして機能するＲＡＭ、各種データを不揮発的に記憶するＮＶＲＡＭ等を含むメモリ部２４と、電子機器１０起動時の各種処理を行うＢＩＯＳ部２５と、第１ディスプレイ１１及び第２ディスプレイ１３の画面表示制御等を行うＶＧＡコントローラ２６と、第１ディスプレイ１１及び第２ディスプレイ１３と一体にタッチパネルディスプレイとして構成されたキー入力部２７と、を備えている。
【００１１】
図３は、第１実施形態の動作説明図である。
図４は、第１実施形態の画像処理の処理フローチャートである。
まず、ＣＰＵ２１は、表示対象の画像に含まれる人物の顔画像（本実施形態においては、顔が含まれると推定される長方形状の領域内の画像；注目画像）Ｆ１の中心位置及び範囲を検知し、第１ディスプレイ１１及び第２ディスプレイ１３の二つのディスプレイの表示領域の切れ目ＮＤ上に検知した人物の顔画像（顔）が存在するか否かを判別する（ステップＳ１１）。
【００１２】
図３において、二つのディスプレイの表示領域の切れ目ＮＤとは、第１ディスプレイ１１及び第２ディスプレイ１３の間の領域であり、第１ディスプレイ１１及び第２ディスプレイ１３を一つのディスプレイとして共働させ、一つの画像を表示させた場合に、画像が欠落している部分（いわゆる一般的なディスプレイのベゼル部分に相当）である。これは本第１実施形態においては、第１ディスプレイ１１及び第２ディスプレイ１３の間の物理的に離れた部分にも画像が表示できるものと仮定して、第１ディスプレイ１１及び第２ディスプレイ１３に画像を表示しているからである。
【００１３】
したがって、例えば、第１ディスプレイ１１あるいは第２ディスプレイ１３のいずれか一方の表示画面内に収まるように左右に長い棒を表示した場合の当該棒の視覚上の長さと、第１ディスプレイ１１及び第２ディスプレイ１３の双方に跨るように当該棒を表示したときの視覚上の長さと、がほぼ一致するように表示制御がなされているのである。この結果、ユーザに対して左側に位置している第１ディスプレイ１１に表示した左右に長い棒を右に移動させて、ユーザに対して右側に位置している第２ディスプレイに表示するようにしたとしても、ユーザにとって移動途中で棒の長さが変化したようには見えないようになっている。
【００１４】
ステップＳ１１の判別において、二つのディスプレイの表示領域の切れ目上に検知した人物の顔画像Ｆ１が存在しない場合には（ステップＳ１１；Ｎｏ）、ＣＰＵ２１は、画像処理を終了する。
ステップＳ１１の判別において、二つのディスプレイの表示領域の切れ目上に検知した人物の顔画像Ｆ１が存在する場合には、表示している顔画像Ｆ１の中心位置の動き量が所定量以下、すなわち、静止していると見なせる状態の場合か否かを判別する（ステップＳ１２）。
【００１５】
これは、顔画像Ｆ１が静止していると見なせない状態であれば、すぐに切れ目から出てしまうと考えられ、処理を行うことにより、却って切れ目にかかってしまう可能性があるからである。
ステップＳ１２の判別において、検知した顔画像Ｆ１が静止していると見なせない場合には（ステップＳ１２；Ｎｏ）、ＣＰＵ２１は、処理を終了する。
【００１６】
ステップＳ１２の判別において、検知した顔画像Ｆ１が静止していると見なせる場合には（ステップＳ１２；Ｙｅｓ）、ＣＰＵ２１は、検知した顔画像の中心位置が第１ディスプレイ１１あるいは第２ディスプレイ１３のいずれのディスプレイ側に位置しているかを判別する（ステップＳ１３）。図４においては、通常使用状態において、左右に一対のディスプレイ（本実施形態においては、第１ディスプレイ１１及び第２ディスプレイ１３）を配置している電子機器を前提とした動作処理フローチャートであり、ＣＰＵ２１は、検知した顔画像Ｆ１の中心位置がディスプレイの右側（右側のディスプレイ側）に位置しているか否かを判別している。
【００１７】
ステップＳ１３の判別において、図３（ａ）に示すように、検知した顔画像Ｆ１の中心位置がディスプレイの切れ目ＮＤの左側（左側の第１ディスプレイ１１側）に位置している場合には（ステップＳ１３；Ｎｏ）、ＣＰＵ２１は、図３（ｂ）に示すように、顔画像Ｆ１のサイズ（図３では、顔画像Ｆ１の左右の幅）分左へ画像Ｇ１をずらした状態に相当する画像を表示し、顔画像Ｆ１が完全に第１ディスプレイ１１側に表示されるようにする（ステップＳ１４）。なお、顔画像Ｆ１のサイズ分画像をずらすのに代えて、余裕を持たせて顔画像Ｆ１のサイズ＋α（α＞０）のサイズだけずらすように構成することも可能である。
【００１８】
ステップＳ１３の判別において、検知した顔画像Ｆ１の中心位置がディスプレイの切れ目ＮＤの右側（右側の第２ディスプレイ１３側）に位置している場合には（ステップＳ１３；Ｙｅｓ）、ＣＰＵ２１は、顔画像Ｆ１のサイズ分右へ画像Ｇ１をずらした状態に相当する画像を表示し、顔画像Ｆ１が完全に第２ディスプレイ１３側に表示されるようにする（ステップＳ１５）。なお、この場合においても、顔画像Ｆ１のサイズ分画像をずらすのに代えて、余裕を持たせて顔画像Ｆ１のサイズ＋α（α＞０）のサイズだけずれるように構成することも可能である。
【００１９】
以上の説明のように、本第１実施形態によれば、被写体としての人物の顔画像が二つのディスプレイの表示領域の切れ目上に位置する場合でも、画像をずらして顔画像がいずれかのディスプレイの表示画面内に収まるようにするので、ユーザが見たいと考えるであろう画面内の部分、ひいては、画面全体の見やすさを改善することが可能である。
【００２０】
以上の説明は、画像をずらせば、一方のディスプレイの表示画面内に顔画像が全て収まるものとして説明したが、顔のアップ画像の場合のように、ディスプレイの端まで画像をずらしたとしても、顔画像が一方のディスプレイ内に収まりきらないような場合には、画像をずらさないようにすることも可能である。あるいは、最大のずらし量を予め規定しておき、算出したすらじ量がこれを超える場合には、ずらさないように構成することも可能である。
【００２１】
[第２実施形態]
次に第２実施形態について説明する。
上記第１実施形態においては、表示画面内に一人の人物（顔画像）が存在する場合であったが、本第２実施形態は、近接して複数の人物（顔画像）が存在する場合の実施形態である。
【００２２】
図５は、第２実施形態の動作説明図である。
図６は、第２実施形態の画像処理の処理フローチャートである。
まず、ＣＰＵ２１は、表示対象の画像に含まれる人物の顔画像Ｆ１１、Ｆ１２の中心位置及び範囲をそれぞれ検知する。
そしてＣＰＵ２１は、第１ディスプレイ１１及び第２ディスプレイ１３の二つのディスプレイの表示領域の切れ目ＮＤ上に検知した人物の顔画像（顔）Ｆ１１あるいは顔画像Ｆ１２が存在するか否かを判別する（ステップＳ２１）。
【００２３】
ステップＳ２１の判別において、二つのディスプレイの表示領域の切れ目ＮＤ上に検知した人物の顔画像Ｆ１１及び顔画像Ｆ１２のいずれも存在しない場合には（ステップＳ２１；Ｎｏ）、ＣＰＵ２１は、画像処理を終了する。
ステップＳ２１の判別において、二つのディスプレイの表示領域の切れ目上に検知した人物の顔画像Ｆ１１あるいは顔画像Ｆ１２の少なくとも一方が存在する場合には、二つのディスプレイの表示領域の切れ目ＮＤ上に表示している顔画像Ｆ１１あるいは顔画像Ｆ１２の中心位置の動き量が所定量以下、すなわち、静止していると見なせる状態の場合か否かを判別する（ステップＳ２２）。
【００２４】
これは、顔画像Ｆ１１あるいは顔画像Ｆ１２のうち、二つのディスプレイの表示領域の切れ目ＮＤ上に存在する顔画像が静止していると見なせない状態であれば、すぐに切れ目から出てしまうと考えられ、処理を行うことにより、却って切れ目にかかってしまう可能性があるからである。
ステップＳ２２の判別において、二つのディスプレイの表示領域の切れ目ＮＤ上に存在する顔画像が静止していると見なせない場合には（ステップＳ２２；Ｎｏ）、ＣＰＵ２１は、処理を終了する。
【００２５】
ステップＳ２２の判別において、顔画像Ｆ１１あるいは顔画像Ｆ１２のうち、二つのディスプレイの表示領域の切れ目ＮＤ上に存在する顔画像が静止していると見なせる場合には（ステップＳ２２；Ｙｅｓ）、ＣＰＵ２１は、二つのディスプレイの表示領域の切れ目ＮＤ上に存在する顔画像の一つを選択し、当該顔画像の中心位置が二つのディスプレイの表示領域の切れ目ＮＤに最も近いかを判別する（ステップＳ２３）。
【００２６】
ステップＳ２３の判別において、二つのディスプレイの表示領域の切れ目ＮＤ上に存在する顔画像の一つを選択し、当該顔画像の中心位置が二つのディスプレイの表示領域の切れ目ＮＤに最も近いわけではない場合には（ステップＳ２３；Ｎｏ）、二つのディスプレイの表示領域の切れ目ＮＤ上に存在する他の顔画像を選択し（ステップＳ２７）、処理を再びステップＳ２３に移行する。
【００２７】
例えば、図５の例の場合では、二つのディスプレイの表示領域の切れ目ＮＤ上に存在する顔画像Ｆ１１及び顔画像Ｆ１２のうち、顔画像Ｆ１１を選択した場合には、当該顔画像Ｆ１１の中心位置が二つのディスプレイの表示領域の切れ目ＮＤに最も近いわけではないので、二つのディスプレイの表示領域の切れ目ＮＤ上に存在する他の顔画像である顔画像Ｆ１２を選択することとなる。
【００２８】
一方、ステップＳ２３の判別において、二つのディスプレイの表示領域の切れ目ＮＤ上に存在する顔画像の一つを選択し、当該顔画像の中心位置が二つのディスプレイの表示領域の切れ目ＮＤに最も近い場合には（ステップＳ２３；Ｙｅｓ）、処理をステップＳ２４に移行する。
例えば、図５の例の場合では、二つのディスプレイの表示領域の切れ目ＮＤ上に存在する顔画像Ｆ１１及び顔画像Ｆ１２のうち、顔画像Ｆ１２を選択した場合には、当該顔画像Ｆ１２の中心位置が二つのディスプレイの表示領域の切れ目ＮＤに最も近いので、処理をステップＳ２４に移行することとなる。
【００２９】
続いて、ＣＰＵ２１は、検知した顔画像（本実施形態では、顔画像Ｆ１２）の中心位置が第１ディスプレイ１１あるいは第２ディスプレイ１３のいずれのディスプレイ側に位置しているかを判別する（ステップＳ２４）。図６においても、通常使用状態において、左右に一対のディスプレイ（本実施形態においては、第１ディスプレイ１１及び第２ディスプレイ１３）を配置している電子機器を前提とした動作処理フローチャートであり、ＣＰＵ２１は、検知した顔画像Ｆ１２の中心位置がディスプレイの右側（右側のディスプレイ側）に位置しているか否かを判別している。
【００３０】
ステップＳ２４の判別において、図５（ａ）に示すように、検知した顔画像Ｆ１２の中心位置がディスプレイの切れ目ＮＤの左側（左側の第１ディスプレイ１１側）に位置している場合には（ステップＳ２４；Ｎｏ）、ＣＰＵ２１は、図５（ｂ）に示すように、顔画像Ｆ１２のサイズ（図５では、顔画像Ｆ１２の左右の幅）分左へ画像Ｇ２をずらした状態に相当する画像を表示し、顔画像Ｆ１２が完全に第１ディスプレイ１１側に表示されるようにする（ステップＳ２５）。なお、顔画像Ｆ１２のサイズ分画像をずらすのに代えて、余裕を持たせて顔画像Ｆ１２のサイズ＋α（α＞０）のサイズだけずらすように構成することも可能である。
【００３１】
ステップＳ２４の判別において、検知した顔画像Ｆ１２の中心位置がディスプレイの切れ目ＮＤの右側（右側の第２ディスプレイ１３側）に位置している場合には（ステップＳ２４；Ｙｅｓ）、ＣＰＵ２１は、顔画像Ｆ１２のサイズ分右へ画像Ｇ２をずらした状態に相当する画像を表示し、顔画像Ｆ１２が完全に第２ディスプレイ１３側に表示されるようにする（ステップＳ２６）。なお、この場合においても、顔画像Ｆ１２のサイズ分画像をずらすのに代えて、余裕を持たせて顔画像Ｆ１２のサイズ＋α（α＞０）のサイズだけずらすように構成することも可能である。
【００３２】
以上の説明のように、本第２実施形態によれば、被写体としての複数の人物の顔画像が二つのディスプレイの表示領域の切れ目上に位置する場合でも、画像をずらすことで複数の顔画像がそれぞれいずれかのディスプレイの表示画面内に収まるようにするので、ユーザが見たいと考えるであろう画面内の部分、ひいては、画面全体の見やすさを改善することが可能である。
【００３３】
以上の説明は、画像をずらして表示すことで、一方のディスプレイの表示画面内に顔画像が全て収まるものとして説明したが、顔のアップ画像の場合や、複数の顔画像が点在する場合のように、ディスプレイの端まで画像をずらしたとしても、全ての顔画像が一方のディスプレイ内に収まりきらないような場合には、画像をずらさないようにすることも可能である。あるいは、最大のずらし量を予め規定しておき、算出したずらし量がこれを超える場合には、ずらさないように構成することも可能である。
【００３４】
[第３実施形態]
次に第３実施形態について説明する。
上記第１実施形態及び第１実施形態においては、表示画面内の顔画像を左右いずれかの方向にずらせば、ディスプレイの切れ目ＮＤを避けて表示を行える場合のものであったが、いずれかの顔画像をディスプレイの切れ目ＮＤを避けて表示しようとすると、他の顔画像がディスプレイの切れ目ＮＤに存在することとなってしまう場合の実施形態である。
【００３５】
図７は、第３実施形態の動作説明図である。
図８は、第３実施形態の画像処理の処理フローチャートである。
まず、ＣＰＵ２１は、表示対象の画像に含まれる人物の顔画像Ｆ２１、Ｆ２２の中心位置及び範囲をそれぞれ検知する。
そしてＣＰＵ２１は、第１ディスプレイ１１及び第２ディスプレイ１３の二つのディスプレイの表示領域の切れ目ＮＤ上に検知した人物の顔画像（顔）Ｆ２１あるいは顔画像Ｆ２２が存在するか否かを判別する（ステップＳ３１）。
【００３６】
ステップＳ３１の判別において、二つのディスプレイの表示領域の切れ目ＮＤ上に検知した人物の顔画像Ｆ２１及び顔画像Ｆ２２のいずれも存在しない場合には（ステップＳ３１；Ｎｏ）、ＣＰＵ２１は、画像処理を終了する。
ステップＳ３１の判別において、二つのディスプレイの表示領域の切れ目上に検知した人物の顔画像Ｆ２１あるいは顔画像Ｆ２２の少なくとも一方が存在する場合には、二つのディスプレイの表示領域の切れ目ＮＤ上に表示している顔画像Ｆ２１あるいは顔画像Ｆ２２の中心位置の動き量が所定量以下、すなわち、静止していると見なせる状態の場合か否かを判別する（ステップＳ３２）。
【００３７】
これは、顔画像Ｆ２１あるいは顔画像Ｆ２２のうち、二つのディスプレイの表示領域の切れ目ＮＤ上に存在する顔画像が静止していると見なせない状態であれば、すぐに切れ目から出てしまうと考えられ、処理を行うことにより、却って切れ目にかかってしまう可能性があるからである。
ステップＳ３２の判別において、顔画像Ｆ２１あるいは顔画像Ｆ２２のうち、二つのディスプレイの表示領域の切れ目ＮＤ上に存在する顔画像が静止していると見なせない場合には（ステップＳ３２；Ｎｏ）、ＣＰＵ２１は、処理を終了する。
【００３８】
ステップＳ３２の判別において、顔画像Ｆ２１あるいは顔画像Ｆ２２のうち、二つのディスプレイの表示領域の切れ目ＮＤ上に存在する顔画像が静止していると見なせる場合には（ステップＳ３２；Ｙｅｓ）、ＣＰＵ２１は、二つのディスプレイの表示領域の切れ目ＮＤ上に存在する顔画像の一つを選択し、当該顔画像の中心位置が二つのディスプレイの表示領域の切れ目ＮＤに最も近いかを判別する（ステップＳ３３）。
【００３９】
ステップＳ３３の判別において、二つのディスプレイの表示領域の切れ目ＮＤ上に存在する顔画像の一つを選択し、当該顔画像の中心位置が二つのディスプレイの表示領域の切れ目ＮＤに最も近いわけではない場合には（ステップＳ３３；Ｎｏ）、二つのディスプレイの表示領域の切れ目ＮＤ上に存在する他の顔画像を選択し（ステップＳ３７）、処理を再びステップＳ３３に移行する。
【００４０】
例えば、図７の例の場合では、二つのディスプレイの表示領域の切れ目ＮＤ上に存在する顔画像Ｆ２１及び顔画像Ｆ２２のうち、顔画像Ｆ２１を選択した場合には、当該顔画像Ｆ２１の中心位置が二つのディスプレイの表示領域の切れ目ＮＤに最も近いわけではないので、二つのディスプレイの表示領域の切れ目ＮＤ上に存在する他の顔画像である顔画像Ｆ２２を選択することとなる。
【００４１】
一方、ステップＳ３３の判別において、二つのディスプレイの表示領域の切れ目ＮＤ上に存在する顔画像の一つを選択し、当該顔画像の中心位置が二つのディスプレイの表示領域の切れ目ＮＤに最も近い場合には（ステップＳ３３；Ｙｅｓ）、処理をステップＳ３４に移行する。
【００４２】
例えば、図７の例の場合では、二つのディスプレイの表示領域の切れ目ＮＤ上に存在する顔画像Ｆ２１及び顔画像Ｆ２２のうち、顔画像Ｆ２２を選択した場合には、当該顔画像Ｆ２２の中心位置が二つのディスプレイの表示領域の切れ目ＮＤに最も近いので、処理をステップＳ３４に移行することとなる。
【００４３】
続いて、ＣＰＵ２１は、検知した顔画像（本実施形態では、顔画像Ｆ２２）の中心位置が第１ディスプレイ１１あるいは第２ディスプレイ１３のいずれのディスプレイ側に位置しているかを判別する（ステップＳ３４）。図８おいても、通常使用状態において、左右に一対のディスプレイ（本実施形態においては、第１ディスプレイ１１及び第２ディスプレイ１３）を配置している電子機器を前提とした動作処理フローチャートであり、ＣＰＵ２１は、検知した顔画像Ｆ２２の中心位置がディスプレイの右側（右側のディスプレイ側）に位置しているか否かを判別している。
【００４４】
ステップＳ３４の判別において、図７（ａ）に示すように、検知した顔画像Ｆ２２の中心位置がディスプレイの切れ目ＮＤの右側（右側の第２ディスプレイ１３側）に位置している場合には（ステップＳ３４；Ｎｏ）、ＣＰＵ２１は、図７（ｂ）に示すように、顔画像Ｆ２２のサイズ（図７では、顔画像Ｆ２２の左右の幅）分左へ画像Ｇ３をずらした状態に相当する画像を表示し、顔画像Ｆ２２が完全に第２ディスプレイ１３側に表示されるようにする（ステップＳ３５）。なお、顔画像Ｆ２２のサイズ分画像をずらすのに代えて、余裕を持たせて顔画像Ｆ２２のサイズ＋α（α＞０）のサイズだけずらして表示するように構成することも可能である。
次に、ＣＰＵ２１は、画像をずらした方向のディスプレイ（上記例では、第２ディスプレイ１３）の画像については、当該位置で固定し、ずらさない状態とし（ステップＳ３７）、再び処理をステップＳ３１に移行する。
そして、ＣＰＵ２１は、第１ディスプレイ１１及び第２ディスプレイ１３の二つのディスプレイの表示領域の切れ目ＮＤ上に検知した他の人物の顔画像（顔）Ｆ２１が存在するか否かを判別する（ステップＳ３１）。
【００４５】
ステップＳ３１の判別において、二つのディスプレイの表示領域の切れ目ＮＤ上に検知した人物の顔画像が存在しない場合、本実施形態では、顔画像Ｆ２１が存在しない場合には（ステップＳ３１；Ｎｏ）、ＣＰＵ２１は、画像処理を終了する。
ステップＳ３１の判別において、二つのディスプレイの表示領域の切れ目上に検知した人物の顔画像Ｆ２１が存在する場合には、二つのディスプレイの表示領域の切れ目ＮＤ上に表示している顔画像Ｆ２１の動き量が所定量以下、すなわち、静止していると見なせる状態の場合か否かを判別する（ステップＳ３２）。
ステップＳ３２の判別において、顔画像Ｆ２１が静止していると見なせない場合には（ステップＳ３２；Ｎｏ）、ＣＰＵ２１は、画像処理を終了する。
【００４６】
ステップＳ３２の判別において、顔画像Ｆ２１が静止していると見なせる場合には（ステップＳ３２；Ｙｅｓ）、ＣＰＵ２１は、当該顔画像Ｆ２１の中心位置が二つのディスプレイの表示領域の切れ目ＮＤに最も近いかを判別する（ステップＳ３３）。
図７（ｂ）の場合には、顔画像Ｆ２１の中心位置が二つのディスプレイの表示領域の切れ目ＮＤに最も近いので、処理をステップＳ３４に移行することとなる。
続いて、ＣＰＵ２１は、検知した顔画像（本実施形態では、顔画像Ｆ２１）の中心位置が第１ディスプレイ１１あるいは第２ディスプレイ１３のいずれのディスプレイ側に位置しているかを判別する（ステップＳ３４）。
【００４７】
ステップＳ３４の判別において、図７（ｂ）に示すように、検知した顔画像Ｆ２１の中心位置がディスプレイの切れ目ＮＤの左側（左側の第１ディスプレイ１１側）に位置している場合には（ステップＳ３４；Ｎｏ）、ＣＰＵ２１は、図７（ｃ）に示すように、顔画像Ｆ２２のサイズ（図７では、顔画像Ｆ２２の左右の幅）分左へ画像Ｇ３のうち、右側の第２ディスプレイ１３に表示されている画像Ｇ３１をそのままとして、画像３１を左側にずらした状態に相当する画像Ｇ３２を表示し、顔画像Ｆ２１が完全に第１ディスプレイ１１側に表示されるようにする（ステップＳ３５）。
【００４８】
なお、顔画像Ｆ２１のサイズ分画像をずらすのに代えて、余裕を持たせて顔画像Ｆ２１のサイズ＋α（α＞０）のサイズだけずらすように構成することも可能である。
次に、ＣＰＵ２１は、画像をずらした方向のディスプレイ（上記例では、第１ディスプレイ１１）の画像については、当該位置で固定し、ずらさない状態とし（ステップＳ３７）、再び処理をステップＳ３１に移行して、以下、同様の処理を繰り返す。
【００４９】
以上の説明のように、本第２実施形態によれば、被写体としての複数の人物の顔画像が二つのディスプレイの表示領域の切れ目上に位置する場合でも、二つのディスプレイの表示領域の切れ目ＮＤ近傍で画像が重複することとなるものの、顔画像Ｆ２１及び顔画像Ｆ２２もいずれかのディスプレイの見やすい位置に移動することとなり、ユーザが見たいと考えるであろう画面内の部分、ひいては、画面全体の見やすさを改善することが可能である。
【００５０】
以上の説明は、画像をずらせば、いずれかのディスプレイの表示画面内にいずれの顔画像も全て収まるものとして説明したが、顔のアップ画像の場合や、複数の顔画像が点在する場合のように、ディスプレイの端まで画像をずらしたとしても、全ての顔画像が一方のディスプレイ内に収まりきらないような場合には、画像をずらさないようにすることも可能である。あるいは、最大のずらし量を予め規定しておき、算出したすらす量がこれを超える場合には、ずらさないように構成することも可能である。
【００５１】
[実施形態の効果]
以上の説明のように、ユーザが見たいと思う被写体の重要な部分（上記実施形態では顔画像）を複数のディスプレイのいずれかの画面内に収まるように表示させることができるので、画面の見やすさを改善することができる。
【００５２】
［実施形態の変形例］
以上の説明においては、複数の表示装置を備えた電子機器を例として説明したが、複数の表示装置が別体の表示制御装置として構成することも可能である。
以上の説明においては、注目画像が人物の顔画像の場合について説明したが、個別に識別可能な注目画像であれば同様に適用が可能である。例えば、注目画像として、車両等の画像や、ペットの画像あるいはペットの顔画像などであっても可能である。
また、顔画像のみならず、人物全体を注目画像として設定することも可能である。
【００５３】
また、以上の説明においては、二つのディスプレイを有する電子機器を例として説明したが、三つ以上のディスプレイを有する電子機器についても同様に適用が可能である。
【００５４】
また、本実施形態の電子機器で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００５５】
また、本実施形態の電子機器で実行される制御プログラムを、インターネット等のネットワークに接続されたコンピュータ上に格納し、ネットワーク経由でダウンロードさせることにより提供するように構成しても良い。また、本実施形態の〜装置で実行される〜プログラムをインターネット等のネットワーク経由で提供または配布するように構成しても良い。
【００５６】
また、本実施形態の制御プログラムを、ＲＯＭ等に予め組み込んで提供するように構成してもよい。
【００５７】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００５８】
１０    電子機器
１１    第１ディスプレイ
１２    第１筐体
１３    第２ディスプレイ
１４    第２筐体
１５    ヒンジ部
１６    ベゼル部
１７    カメラモジュール
１８    電源スイッチ
２１    ＣＰＵ（表示手段）
２２    電源部
２３    チップセット部
２４    メモリ部
２５    ＢＩＯＳ部
２６    ＶＧＡコントローラ
２７    キー入力部
Ｆ１、Ｆ１１、Ｆ１２、Ｆ２１、Ｆ２２  顔画像（注目画像）
ＮＤ  切れ目
【図１】
2012212001.tif 000003
【図２】
2012212001.tif 000004
【図３】
2012212001.tif 000005
【図４】
2012212001.tif 000006
【図５】
2012212001.tif 000007
【図６】
2012212001.tif 000008
【図７】
2012212001.tif 000009
【図８】
2012212001.tif 000010
【手続補正書】
【提出日】平成24年4月4日(2012.4.4)
【手続補正１】
【補正対象書類名】特許請求の範囲
【補正対象項目名】全文
【補正方法】変更
【補正の内容】
【特許請求の範囲】
【請求項１】
２次元的に配置された複数の表示装置を一体の表示装置として、一つの表示画像を表示させる表示制御装置において、
前記表示画像に含まれる所定の注目画像が複数の表示装置の表示画面に跨って表示されている場合に、いずれかの表示装置の表示画面内に当該注目画像が収まるように、前記表示画像の表示位置をずらす表示手段を備える表示制御装置。 
【請求項２】
前記表示手段は、前記注目画像をずらす前に当該注目画像がより多く表示されている表示装置の表示画面側に前記表示画像の表示位置をずらす請求項１記載の表示制御装置。 
【請求項３】
前記表示手段は、複数の前記注目画像が複数の表示装置の表示画面に跨って表示されている場合に、いずれか最も表示領域の切れ目に近い注目画像がより多く表示されている表示装置の表示画面側に前記表示画像の表示位置をずらす請求項２記載の表示制御装置。 
【請求項４】
前記表示手段は、前記注目画像のずらす前に当該注目画像がより多く表示されている表示装置の表示画面側である第１の方向に前記表示画像の表示位置をずらした場合に、他の注目画像が新たに複数の表示装置の表示画面に跨って表示された場合に、前記第１の方向にずらした画像のうち、当該他の注目画像の表示の切れ目に対して、前記第１の方向とは逆方向の第２の方向に位置する表示装置に表示されている表示画像の表示位置を前記第２の方向へずらして表示する請求項１又は請求項２記載の表示制御装置。
【請求項５】
前記表示手段は、複数の前記注目画像が複数の表示装置の表示画面に跨って表示されている場合に、いずれか最も表示領域の切れ目に近い注目画像がより多く表示されている表示装置の表示画面側である第１の方向に前記表示画像の表示位置をずらし、他の注目画像が未だ複数の表示装置の表示画面に跨って表示されている場合に、前記第１の方向にずらした画像のうち、前記第１の方向とは逆方向の第２の方向に位置する表示装置に表示されている表示画像の表示位置を前記第２の方向へずらして表示する請求項１又は請求項２記載の表示制御装置。 
【請求項６】
前記注目画像は、長方形状の画像として取り扱い、前記表示手段に表示する場合のずらす量を設定する請求項１乃至請求項５のいずれかに記載の表示制御装置。 
【請求項７】
前記注目画像は、人物の顔画像である請求項１乃至請求項６のいずれかに記載の表示制御装置。 
【請求項８】
２次元的に配置された複数の表示ユニットに一つの表示画像を表示させる表示装置と、  前記表示画像に含まれる所定の注目画像が複数の表示ユニットの表示画面に跨って表示されている場合に、いずれかの表示ユニットの表示画面内に当該注目画像が収まるように、前記表示画像の表示位置をずらす表示手段と、
を備える電子機器。 
【請求項９】
２次元的に配置された複数の表示装置を一体の表示装置として、一つの表示画像を表示させる表示制御装置をコンピュータにより制御する制御プログラムにおいて、
前記コンピュータを、
前記表示画像に含まれる所定の注目画像が複数の表示装置の表示画面に跨って表示されているか否かを判別する表示状態判別手段と、
前記表示画像に含まれる所定の注目画像が複数の表示装置の表示画面に跨って表示されている場合に、いずれかの表示装置の表示画面内に当該注目画像が収まるように、前記表示画像の表示位置をずらして表示する表示手段と、
して機能させる制御プログラム。
【手続補正２】
【補正対象書類名】明細書
【補正対象項目名】００４４
【補正方法】変更
【補正の内容】
【００４４】
ステップＳ３４の判別において、図７（ａ）に示すように、検知した顔画像Ｆ２２の中心位置がディスプレイの切れ目ＮＤの右側（右側の第２ディスプレイ１３側）に位置している場合には（ステップＳ３４；Ｎｏ）、ＣＰＵ２１は、図７（ｂ）に示すように、顔画像Ｆ２２のサイズ（図７では、顔画像Ｆ２２の左右の幅）分右へ画像Ｇ３をずらした状態に相当する画像を表示し、顔画像Ｆ２２が完全に第２ディスプレイ１３側に表示されるようにする（ステップＳ３５）。なお、顔画像Ｆ２２のサイズ分画像をずらすのに代えて、余裕を持たせて顔画像Ｆ２２のサイズ＋α（α＞０）のサイズだけずらして表示するように構成することも可能である。
次に、ＣＰＵ２１は、画像をずらした方向のディスプレイ（上記例では、第２ディスプレイ１３）の画像については、当該位置で固定し、ずらさない状態とし（ステップＳ３７）、再び処理をステップＳ３１に移行する。
そして、ＣＰＵ２１は、第１ディスプレイ１１及び第２ディスプレイ１３の二つのディスプレイの表示領域の切れ目ＮＤ上に検知した他の人物の顔画像（顔）Ｆ２１が存在するか否かを判別する（ステップＳ３１）。 
【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
複数の表示装置に一つの表示画像を跨って表示させる表示制御装置において、
前記表示画像を所定の位置に配置して表示させると前記表示画像に含まれる複数の注目画像の夫々が複数の表示装置の表示画面に跨る場合に、複数の注目画像のうち最も表示領域の切れ目に近い注目画像がより多く表示されている表示装置の表示画面側に前記表示画像の表示位置をずらし、当該表示画面内に当該注目画像が収まるようにする表示手段を備える表示制御装置。
【請求項２】
前記表示手段は、前記注目画像のずらす前に当該注目画像がより多く表示されている表示装置の表示画面側である第１の方向に前記表示画像の表示位置をずらした場合に、他の注目画像が新たに複数の表示装置の表示画面に跨って表示された場合に、前記第１の方向にずらした画像のうち、当該他の注目画像の表示の切れ目に対して、前記第１の方向とは逆方向の第２の方向に位置する表示装置に表示されている表示画像の表示位置を前記第２の方向へずらして表示する請求項１記載の表示制御装置。 
【請求項３】
前記表示手段は、複数の前記注目画像が複数の表示装置の表示画面に跨って表示されている場合に、いずれか最も表示領域の切れ目に近い注目画像がより多く表示されている表示装置の表示画面側である第１の方向に前記表示画像の表示位置をずらし、他の注目画像が未だ複数の表示装置の表示画面に跨って表示されている場合に、前記第１の方向にずらした画像のうち、前記第１の方向とは逆方向の第２の方向に位置する表示装置に表示されている表示画像の表示位置を前記第２の方向へずらして表示する請求項１又は請求項２記載の表示制御装置。
【請求項４】
前記注目画像は、長方形状の画像として取り扱い、前記表示手段に表示する場合のずらす量を設定する請求項１乃至請求項３のいずれかに記載の表示制御装置。  
【請求項５】
前記注目画像は、人物の顔画像である請求項１乃至請求項４いずれかに記載の表示制御装置。  
【請求項６】
複数の表示ユニットに一つの表示画像を跨って表示させる表示装置と、
前記表示画像を所定の位置に配置して表示させると前記表示画像に含まれる複数の注目画像の夫々が複数の表示装置の表示画面に跨る場合に、複数の注目画像のうち最も表示領域の切れ目に近い注目画像がより多く表示されている表示装置の表示画面側に前記表示画像の表示位置をずらし、いずれかの表示ユニットの表示画面内に当該注目画像が収まるように、前記表示画像の表示位置をずらす表示手段と、
を備える電子機器。 
【請求項７】
複数の表示ユニットに一つの表示画像を跨って表示させる表示装置として、一つの表示画像を表示させる表示制御装置をコンピュータにより制御する制御プログラムにおいて、
前記コンピュータを、
前記表示画像を所定の位置に配置して表示させると前記表示画像に含まれる複数の注目画像の夫々が複数の表示装置の表示画面に跨って表示されているか否かを判別する表示状態判別手段と、
前記表示画像に含まれる複数の注目画像の夫々が複数の表示装置の表示画面に跨る場合に、複数の注目画像のうち最も表示領域の切れ目に近い注目画像がより多く表示されている表示装置の表示画面側に前記表示画像の表示位置をずらし、いずれかの表示ユニットの表示画面内に当該注目画像が収まるようにする表示手段と、
して機能させる制御プログラム。 
【手続補正２】
【補正対象書類名】明細書
【補正対象項目名】０００７
【補正方法】変更
【補正の内容】
【０００７】
実施形態の表示制御装置は、複数の表示装置に一つの表示画像を跨って表示させる表示制御装置である。
そして、表示制御装置の表示手段は、表示画像を所定の位置に配置して表示させると表示画像に含まれる複数の注目画像の夫々が複数の表示装置の表示画面に跨る場合に、複数の注目画像のうち最も表示領域の切れ目に近い注目画像がより多く表示されている表示装置の表示画面側に表示画像の表示位置をずらし、当該表示画面内に当該注目画像が収まるようにする。